(57)【要約】【課題】操作性の向上を図るとともに、映像の視認性を高める上で有利なビューファインダーおよびその制御方法並びに撮像装置を提供する。【解決手段】検出信号Ｓ０がオフ状態であれば、すなわち接眼ユニット３６が装着されていなければ、ＣＰＵ１０４は、第１の信号処理部１１８に制御信号を供給して映像反転処理を非実行とさせ、ＥＥＰＲＯＭ１０６に格納されている前記第２の輝度に基づいてバックライト駆動部１２８を制御し、ＥＥＰＲＯＭ１０６に格納されている前記第４の輝度に基づいてＬＥＤドライバ１１０を制御することにより、表示面３４０２に表示される映像の輝度を第２の輝度とし、第１乃至第８のランプ１２０Ａ〜１２０Ｈの輝度を第４の輝度として動作させる。【選択図】図１９
2008205535.tif 000002
【特許請求の範囲】
【請求項１】
撮像装置から供給される映像信号に基づいて映像を表示する表示面を有するディスプレイユニットと、
前記ディスプレイユニットに装脱可能に装着され前記表示面に表示される映像を拡大して視認可能とする接眼ユニットとを備え、
前記ディスプレイユニットは、
前記表示面と、
前記映像信号に基づいて前記表示面に前記映像を表示させる表示制御部と、
前記接眼ユニットの装着の有無を検出する検出部とを有し、
前記表示制御部は、前記検出部の検出に基づいて前記表示面に表示される映像の左右を反転させると共に前記表示面に表示される映像の輝度を変化させるように構成されている、
ことを特徴とするビューファインダー。
【請求項２】
前記表示制御部による前記映像の輝度の変化は、前記接眼ユニットの装着が有りと検出された際に第１の輝度となり、前記接眼ユニットの装着が無しと検出された際に前記第１の輝度よりも高い値の第２の輝度となるようになされること、
を特徴とする請求項１記載のビューファインダー。
【請求項３】
前記ディスプレイユニットは、
前記撮像装置または前記ディスプレイユニットの動作状態を表示するランプと、
前記動作状態に基づいて前記ランプを駆動するランプ制御部とをさらに有し、
前記接眼ユニットは前記ランプの表示を前記映像と共に拡大して視認可能とするものであり、
前記表示ランプ制御部は前記検出部の検出に基づいて前記ランプの輝度を変化させるように構成されている、
ことを特徴とする請求項１記載のビューファインダー。
【請求項４】
前記ディスプレイユニットは、ディスプレイパネルを有し、
前記ディスプレイパネルは前記表示面を有する前面を有し、
前記前面は開口が形成された前面板を有し、
前記表示面は前記開口の内側に位置するように設けられ、
前記ランプは前記前面板に設けられている、
ことを特徴とする請求項３記載のビューファインダー。
【請求項５】
前記表示制御部による前記ランプの輝度の変化は、前記接眼ユニットの装着が有りと検出された際に第３の輝度となり、前記接眼ユニットの装着が無しと検出された際に前記第３の輝度よりも高い値の第４の輝度となるようになされること、
を特徴とする請求項３記載のビューファインダー。
【請求項６】
前記ディスプレイユニットは、
前記撮像装置のカメラボディに装脱可能に装着される本体部と、
前記カメラボディ側で撮像する映像が表示されるディスプレイ部とを備え、
前記ディスプレイ部は、
前記本体部に回転可能に連結された支持体と、
前記表示面を有するディスプレイパネルと、
前記支持体と前記ディスプレイパネルとを、前記支持体に前記ディスプレイパネルが重ね合わされた倒伏状態と、前記支持体から前記ディスプレイパネルが起立した起立状態との間で揺動可能に連結する連結機構と、
を備えることを特徴とする請求項１記載のビューファインダー。
【請求項７】
前記ディスプレイユニットは、
前記撮像装置のカメラボディに装脱可能に装着される本体部と、
前記カメラボディ側で撮像する映像が表示されるディスプレイ部とを備え、
前記ディスプレイ部は、
前記本体部に回転可能に連結された支持体と、
前記表示面を有するディスプレイパネルと、
前記支持体と前記ディスプレイパネルとを、前記支持体に前記ディスプレイパネルが重ね合わされた倒伏状態と、前記支持体から前記ディスプレイパネルが起立した起立状態との間で揺動可能に連結する連結機構とを備え、
前記支持体は、前記本体部が前記カメラボディに装着された状態で、前記カメラボディの左右方向を延在する仮想軸の周りに回転可能に前記本体部に連結されており、
前記表示面は、前記倒伏状態で前記カメラボディの左右側方に向けられ、前記起立状態で後方に向けられる、
を備えることを特徴とする請求項１記載のビューファインダー。
【請求項８】
前記ディスプレイユニットは、
前記撮像装置のカメラボディに一体的に設けられた本体部と、
前記カメラボディ側で撮像する映像が表示されるディスプレイ部とを備え、
前記ディスプレイ部は、
前記本体部に回転可能に連結された支持体と、
前記表示面を有するディスプレイパネルと、
前記支持体と前記ディスプレイパネルとを、前記支持体に前記ディスプレイパネルが重ね合わされた倒伏状態と、前記支持体から前記ディスプレイパネルが起立した起立状態との間で揺動可能に連結する連結機構とを備え、
前記支持体は、前記カメラボディの左右方向を延在する仮想軸の周りに回転可能に前記本体部に連結されており、
前記表示面は、前記倒伏状態で前記カメラボディの左右側方に向けられ、前記起立状態で後方に向けられる、
を備えることを特徴とする請求項１記載のビューファインダー。
【請求項９】
撮像装置から供給される映像信号に基づいて映像を表示する表示面と、前記表示面に前記映像を表示させる表示制御部とを有するディスプレイユニットと、
前記ディスプレイユニットに装脱可能に装着され前記表示面に表示される映像を拡大して視認可能とする接眼ユニットとを備え、
前記接眼ユニットの装着の有無を検出し、
前記検出に基づいて前記表示面に表示される映像の左右を反転させると共に前記表示面に表示される映像の輝度を変化させるようにした、
ことを特徴とするビューファインダーの制御方法。
【請求項１０】
映像を撮像するカメラボディと、
前記カメラボディに設けられたビューファインダーとを備え、
前記ビューファインダーは、
前記カメラボディから供給される映像信号に基づいて映像を表示する表示面を有するディスプレイユニットと、
前記ディスプレイユニットに装脱可能に装着され前記表示面に表示される映像を拡大して視認可能とする接眼ユニットとを備え、
前記ディスプレイユニットは、
前記表示面と、
前記映像信号に基づいて前記表示面に前記映像を表示させる表示制御部と、
前記接眼ユニットの装着の有無を検出する検出部とを有し、
前記表示制御部は、前記検出部の検出に基づいて前記表示面に表示される映像の左右を反転させると共に前記表示面に表示される映像の輝度を変化させるように構成されている、
ことを特徴とする撮像装置。
【発明の詳細な説明】
【技術分野】
【０００１】
本発明はビューファインダーおよびその制御方法並びに撮像装置に関する。
【背景技術】
【０００２】
放送局などで使用される業務用の撮像装置として、被写体を撮影して映像信号を生成するカメラボディと、カメラボディに取着され映像信号に基づいて映像を表示するビューファインダーとを備えるものがある。
そして、この種の撮像装置では、撮影者はカメラボディを肩に載せ、ビューファインダーを覗きながら撮影することが行われている。
このような撮像装置のビューファインダーとして、ディスプレイパネルを有し該ディスプレイパネルの表示面に映像を表示するディスプレイユニットと、ディスプレイユニットに装脱可能に装着され表示面に表示された映像をミラーで反射して光路を９０度折り曲げるとともに、その映像を拡大する接眼ユニットとが装脱可能に設けられたものが提供されている（特許文献１参照）。
このビューファインダーでは、撮影状況によって、接眼ユニットをディスプレイユニットから取り外し、表示面に表示された映像を直接視認しながら撮影できるようになっている。
そして、ディスプレイユニットに接眼ユニットが装着されたか否かを検出する検出スイッチを設け、接眼ユニットの装着が検出された場合には、表示面に表示される映像の左右を反転させることで、接眼ユニットを覗いた場合においても左右の位置関係が正しい映像を視認できるようにしている。
【特許文献１】特開２００４−１４７２３２
【発明の開示】
【発明が解決しようとする課題】
【０００３】
このような従来のビューファインダーでは、接眼ユニットを使用した場合には、撮影環境における外光の影響を受けずに表示面を視認することができるため、映像の輝度は低めで足り、逆に輝度が高すぎると撮影者に眩しさを感じさせ視認性を低下させることになる。
これに対して、直接表示面を視認する場合には、撮影環境における外光が表示面に当たることから、映像を明瞭に視認するためには、前記外光に対応して映像の輝度を高くする必要がある。
したがって、従来のビューファインダーでは、接眼ユニットの装着状態と非装着状態とに対応してその都度輝度調整ボリュームなどを操作して映像の輝度を調整する必要があり、使い勝手に劣る面があった。
また、本出願人は、カメラボディを肩に載せたまま、ディスプレイパネルを起立状態とし、撮影しながら表示面を直接視認できる撮像装置を提案しているが、このような場合にも、表示面が外光の影響を受けやすく表示面を視認しづらくなることが懸念され、接眼ユニットの装着状態と非装着状態とに対応してその都度輝度調整ボリュームなどを操作するのでは使い勝手に劣る懸念がある。
本発明はこのような事情に鑑みなされたものであり、その目的は、操作性の向上を図るとともに、映像の視認性を高める上で有利なビューファインダーおよびその制御方法並びに撮像装置を提供することにある。
【課題を解決するための手段】
【０００４】
上述の目的を達成するため、本発明のビューファインダーは、撮像装置から供給される映像信号に基づいて映像を表示する表示面を有するディスプレイユニットと、前記ディスプレイユニットに装脱可能に装着され前記表示面に表示される映像を拡大して視認可能とする接眼ユニットとを備え、前記ディスプレイユニットは、前記表示面と、前記映像信号に基づいて前記表示面に前記映像を表示させる表示制御部と、前記接眼ユニットの装着の有無を検出する検出部とを有し、前記表示制御部は、前記検出部の検出に基づいて前記表示面に表示される映像の左右を反転させると共に前記表示面に表示される映像の輝度を変化させるように構成されていることを特徴とする。
また本発明のビューファインダーの制御方法は、撮像装置から供給される映像信号に基づいて映像を表示する表示面と、前記表示面に前記映像を表示させる表示制御部とを有するディスプレイユニットと、前記ディスプレイユニットに装脱可能に装着され前記表示面に表示される映像を拡大して視認可能とする接眼ユニットとを備え、前記接眼ユニットの装着の有無を検出し、前記検出に基づいて前記表示面に表示される映像の左右を反転させると共に前記表示面に表示される映像の輝度を変化させるようにしたことを特徴とする。
また本発明の撮像装置は、映像を撮像するカメラボディと、前記カメラボディに設けられたビューファインダーとを備え、前記ビューファインダーは、前記カメラボディから供給される映像信号に基づいて映像を表示する表示面を有するディスプレイユニットと、前記ディスプレイユニットに装脱可能に装着され前記表示面に表示される映像を拡大して視認可能とする接眼ユニットとを備え、前記ディスプレイユニットは、前記表示面と、前記映像信号に基づいて前記表示面に前記映像を表示させる表示制御部と、前記接眼ユニットの装着の有無を検出する検出部とを有し、前記表示制御部は、前記検出部の検出に基づいて前記表示面に表示される映像の左右を反転させると共に前記表示面に表示される映像の輝度を変化させるように構成されていることを特徴とする。
【発明の効果】
【０００５】
本発明によれば、検出部の検出に基づいて表示面に表示される映像の左右を反転させると共に表示面に表示される映像の輝度を変化させるようにした。
したがって、接眼ユニットを介して表示面を視認する場合と、接眼ユニットを介さず直接表示面を視認する場合との双方において、その都度特別な操作を行うことなく、左右の位置関係が正しい映像を視認できることは無論のこと、接眼ユニットの有無に対応した適切な輝度の映像を視認することができるので、操作性の向上を図るとともに、映像の視認性、ランプの視認性を高める上で有利となる。
【発明を実施するための最良の形態】
【０００６】
次に、本発明の実施の形態について図面を参照して説明する。
図１、図２はビューファインダー３０が装着された撮像装置１０の斜視図、図３、図４はビューファインダー３０から接眼ユニット３６が取り外されディスプレイパネル４２が左側方を向いた状態を示す撮像装置１０の斜視図、図５はビューファインダー３０から接眼ユニット３６が取り外されディスプレイパネル４２が起立状態となった斜視図、図６は撮像装置１０の構成を示すブロック図である。
【０００７】
本実施の形態において撮像装置１０は放送局などで使用される業務用のビデオカメラである。
図１に示すように、撮像装置１０は、前後に延在するカメラボディ１４を備え、カメラボディ１４の前部にレンズ鏡筒１２が装着されている。
なお、本明細書において左右は、撮像装置１０を後方から見た状態でいうものとし、また、光学系の光軸方向で被写体側を前方といい、撮像素子側を後方という。
レンズ鏡筒１２は、撮影光学系１６を収容するものである。
撮影光学系１６は、被写体像を図６に示す撮像素子１４Ｂに導くものである。なお、撮像素子１４Ｂは、ＣＣＤ、あるいは、Ｃ−ＭＯＳセンサなど従来公知のさまざまな撮像素子が採用可能である。
【０００８】
図１に示すように、カメラボディ１４は、外装を構成する筐体１８を有している。
筐体１８は、前方に臨む前面１８Ａ、後方に臨む後面１８Ｂ、左右側方に臨む左右の側面１８Ｃ、１８Ｄ、上方に臨む上面１８Ｅ、下方に臨む下面１８Ｆを備えている。
本実施の形態では、筐体１８は、左右の側面１８Ｃ、１８Ｄの間の左右方向の幅よりも上面１８Ｅと後面１８Ｆとの間の上下方向の高さが大きい寸法で形成され、この高さよりも前面１８Ａと後面１８Ｂとの間の前後方向の長さが大きい寸法で形成され、したがって、筐体１８は前後に長い直方体状を呈している。
図２に示すように、筐体１８の前部には、後述するビューファインダー３０を装脱可能に装着するためのカメラ本体側取り付け部１９が設けられ、カメラ本体側取り付け部１９の後方に持ち運び用のハンドル２０が設けられている。
図１に示すように、下面１８Ｄには、撮像装置１０を肩に載せるための上方に窪んだ肩パッド２２が設けられている。肩パッド２２は、弾性および柔軟性を有する部材で形成されている。
【０００９】
次に、ビューファインダー３０について説明する。
図２、図３に示すように、ビューファインダー３０は、ディスプレイユニット３１と、接眼ユニット３６とを含んで構成されている。
ディスプレイユニット３１は、本体部３２と、ディスプレイ部３４とを含んで構成されている。
本体部３２には、ディスプレイ部３４を動作させるための回路が収容されている。
ディスプレイ部３４は、カメラボディ１４から供給される映像信号に基づいて表示面３４０２に映像を表示するものである。
接眼ユニット３６はディスプレイ部３４の表示面３４０２に表示される映像を拡大表示するものである。
本実施の形態では、ディスプレイ部３４は映像を表示する表示素子として液晶表示素子１３２（図１９参照）を含んで構成されている。
なお、表示素子は液晶表示素子に限定されるものではなく、有機ＥＬディスプレイ装置など従来公知のさまざまな表示素子が採用可能である。
【００１０】
図７は本体部３２およびディスプレイ部３４の斜視図、図８は本体部３２およびディスプレイ部３４の上下を反転させた斜視図である。
図９は本体部３２とディスプレイ部３４との分解斜視図である。
図１０はディスプレイ部３４の起立状態を示す斜視図、図１１（Ａ）は図１０のＡ矢視図、（Ｂ）は図１０のＢ矢視図、（Ｃ）は図１０のＣ矢視図である。
図７、図８に示すように、本体部３２は、ケース３２０２を有し、ケース３２０２にはカメラボディ側取り付け部１９に装脱可能に装着される本体部側取り付け部３２０４が設けられている。
本実施の形態では、本体部側取り付け部３２０４は、本体部３２がカメラボディ１４に取り付けられた状態で後方に臨む後面に、左右方向に延在形成された係合溝３２０４Ａを含んで構成されている。なお、本体部側取り付け部３２０４とカメラボディ側取り付け部１９と装脱する構成には従来公知のさまざまな構造が採用可能である。
図９に示すように、本体部３２がカメラボディ１４に取り付けられた状態で、ケース３２０２が前方に臨む前面と下方に臨む下面に、ディスプレイ部３４の動作にまつわる種々の操作を行うための操作部材３２１０が設けられている。
操作部材３２１０は、複数のボリューム３２１０Ａ、複数の切り替えスイッチ３２１０Ｂ、複数の押しボタンスイッチ３２１０Ｃなどを含んでいる。
また、本体部３２がカメラボディ１４に取り付けられた状態で、図７、図８に示すように、左外側方に臨む面は、ディスプレイ部３４が連結される連結面３２２０として形成されている。
【００１１】
ディスプレイ部３４は、図７乃至図１０に示すように、支持体４０と、ディスプレイパネル４２と、連結機構４４とを含んで構成されている。
支持体４０は、本体部３２の連結面３２２０上に回転可能に連結されている。この支持体４０の本体部３２への連結は連結機構３８によりなされ、連結機構３８は、本体部３２により回転可能に支持され支持体４０に取着された支軸４６を含んで構成され、図１０において符号Ｌ１は支持体４０の回転中心を示し、この回転中心Ｌ１は、本体部３２がカメラボディ１４に取り付けられた状態で、カメラボディ１４の左右方向に延在している。
なお、連結機構３８は摩擦抵抗が支軸４６に付与され、支持体４０は所望の揺動角度で保持されるように構成されており、連結機構３８として、このような摩擦抵抗式のものやクリック機構式のものなど従来公知のさまざまな構造が採用可能である。
支持体４０は、上下の高さよりも左右方向の幅が大きい細長形状の板材で形成されている。
連結面３２２０と反対に位置する支持体４０の面に弾性材４８が設けられている。この支持体４０の面は、後述する倒伏状態でディスプレイパネル４２の背面５６０４に臨む面である。
弾性材４８は、例えば、ゴムや発泡ウレタンなどのような弾性を有する材料で薄い円板状に形成され、本実施の形態では、支持体４０の面に形成された凹部に収容され前記面から突出するように設けられている。
【００１２】
図９に示すように、支持体４０の長手方向の端部に複数の軸受け部５０が膨出形成されている。
また、図７、図９に示すように、支持体４０の長手方向と直交する方向の両側のうちの一方の側部に円弧状の軸受け壁５２が設けられ、また、図８、図９に示すように、前記両側のうちの他方の側部に係止凹部５４が設けられている。
【００１３】
図９、図１０に示すように、ディスプレイパネル４２は、長方形板状のケース５６を有し、ケース５６に液晶表示素子１３２（図１９参照）が収容されている。
図１０、図１１（Ａ）乃至（Ｃ）に示すように、ケース５６は、前面５６０２と、前面５６０２の反対側に位置する背面５６０４とを有している。
前面５６０２は、開口５６０６が形成された前面板５６１０と、開口５６０６の内側に位置するように設けられた表示面３４０２とを含んで構成されている。
図９に示すように、ケース５６の短辺部分には、複数の軸受け部５０の間に挿入される軸受け部５８が膨出形成されている。
支持体４０とディスプレイパネル４２は軸受け部５０の間に軸受け部５８が挿入され、それら軸受け部５０、５８の間に支軸６０（図７参照）が挿入されることで結合される。
したがって、本実施の形態では、連結機構４４は、ディスプレイパネル４２の短辺部分と、支持体４０の長手方向の端部とを連結しており、本体部３２がカメラボディ１４に取り付けられた状態で支軸６０は、カメラボディ１４の上下方向に延在している。
また、本実施の形態では、軸受け部５０、軸受け部５８、支軸６０などにより連結機構４４が構成され、この連結機構４４は摩擦抵抗が支軸６０に付与され、ディスプレイパネル４２は所望の揺動角度で保持されるように構成されており、連結機構４４として、このような摩擦抵抗式のものやクリック機構式のものなど従来公知のさまざまな構造が採用可能である。
そして、連結機構４４により、支持体４０とディスプレイパネル４２とは、支持体４０にディスプレイパネル４２が重ね合わされた倒伏状態（図３、図７参照）と、支持体４０からディスプレイパネル４２が起立した起立状態（図５、図１０参照）との間で支軸６０を中心として揺動可能に連結される。なお、図７において符号Ｌ２はディスプレイパネル４２の揺動中心を示す。
そして、図７に示すように、倒伏状態で、背面５６０４が支持体４０に臨み、前面５６０２が外方に向けられる。
より詳細には、図３に示すように、本体部３２がカメラボディ１４に取り付けられた状態において、ディスプレイパネル４２が倒伏状態となると、ディスプレイパネル４２の表示面３４０２は、カメラボディ１４の左外側方に向き、図５に示すように、ディスプレイパネル４２が起立状態となると、ディスプレイパネル４２の表示面３４０２は後方に向けられる。
【００１４】
図１２、図１３は接眼ユニット３６の斜視図、図１４は本体部３２、ディスプレイ部３４、接眼ユニット３６の平面図、図１５は図１４のＡ矢視図、図１６は接眼ユニット３６の装着状態の説明図である。
図１２、図１３に示すように、接眼ユニット３６は、ミラーおよび複数のレンズを含む光学系３６０２と、光学系を収容する筒状のハウジング３６０４と、ハウジング３６０４の長手方向の一方の端部に設けられた接眼ユニット側取り付け部３６０６と、ハウジング３６０４の長手方向の他方の端部に設けられたアイピース３６０８などを含んで構成されている。
接眼ユニット側取り付け部３６０６は、表示面３４０２に対応した大きさの横長の開口３６１０を有している。
図１２乃至図１５に示すように、開口３６１０の周囲に沿って、ディスプレイパネル４２の前面板５６１０を押圧可能な枠部３６１２が延在形成されている。
また、開口３６１０の上部には、軸受け壁５２に装脱される支軸６２が設けられ、開口３６１０の下部には、係止凹部５４に係脱する係止爪６４が設けられている。
図１６に示すように、接眼ユニット３６のディスプレイ部３４への装着状態は、倒伏状態において、枠部３６１２が前面板５６１０を押圧し、弾性材４８が支持体４０とディスプレイパネル４２の背面５６０４により圧縮されることで形成される。
より詳細に説明すると、倒伏状態において支軸６２が軸受け壁５２に係合され、係止爪６４が係止凹部５４に係止される。これにより、枠部３６１２が前面板５６１０を押圧し、弾性材４８が支持体４０とディスプレイパネル４２の背面５６０４により圧縮され、接眼ユニット３６のディスプレイ部３４への装着状態が形成される。
したがって、接眼ユニット３６のディスプレイ部３４への装脱を行なう装脱機構が、支軸６２、軸受け壁５２、係止爪６４、係止凹部５４により構成されている。なお、このような装脱機構として従来公知のさまざまな構造が採用可能である。
【００１５】
図１７（Ａ）、（Ｂ）、図１８（Ａ）、（Ｂ）は、ディスプレイ部３４から接眼ユニット３６を取り外す際の説明図である。
図１７（Ａ）に示すようにディスプレイ部３４に接眼ユニット３６が装着された状態で、図１７（Ｂ）に示すように係止爪６４を係止凹部５４から外れる方向に操作する。
係止爪６４が係止凹部５４から外れたならば、図１８（Ａ）に示すように、支軸６２を支点に接眼ユニット３６を回動させ、図１８（Ｂ）に示すように、支軸６２を軸受け壁５２から外す。
これにより、ディスプレイ部３４から接眼ユニット３６が取り外される。
【００１６】
次に、撮像装置１０およびビューファインダー３０の使用方法について説明する。
図１、図２に示すように、ディスプレイ部３４に接眼ユニット３６を装着した場合には、撮影者はアイピース３６０８内を覗くことにより、拡大された表示面３４０２の映像を視認することができる。
この場合、ディスプレイパネル４２および接眼ユニット３６を回転中心Ｌ１を中心に回動させることで撮影アングルを上下方向に任意に変えることができる。
したがって、例えば、撮影者は肩にカメラボディ１４の肩パッド２２を載せても、カメラボディ１４を抱えてもアイピース３６０８内を楽な姿勢で覗くことができる。
【００１７】
また、図３、図４に示すように、ディスプレイ部３４から接眼ユニット３６を取り外し、図５に示すように、ディスプレイパネル４２を揺動中心Ｌ２を中心に揺動させ起立状態とした場合、撮影者は肩にカメラボディ１４の肩パッド２２を載せても表示面３４０２は後方を向いているので、撮影者は表示面３４０２を直接肉眼で見ることができる。また、カメラボディ１４を抱えてもディスプレイパネル４２を回転中心Ｌ１を中心に回転させることができるので、撮影者は表示面３４０２を楽な姿勢で直接肉眼で見ることができ、したがって、表示面３４０２を直接肉眼で見ながら撮影アングルを上下方向に変えつつ撮影を行うことも可能となる。
したがって、撮影者はカメラボディ１４を肩に載せても抱えてもディスプレイパネル４２の表示面３４０２を楽な姿勢で直接視認しつつ撮影を行うことが可能となる。
【００１８】
このような構成によれば、ディスプレイ部３４から接眼ユニット３６を取り外してディスプレイパネル４２の表示面３４０２を直接視認する場合、ディスプレイパネル４２を起立状態にでき、しかも、起立状態としたディスプレイパネル４２を本体部３２上で回転できるので、撮影者は不自然な姿勢を強いられることがなく、ディスプレイパネル４２の表示面３４０２を視認しやすく、自由に撮影アングルを変えることができ、使い勝手の向上を図る上で有利となる。
また、このような構成によれば、ディスプレイ部３４に接眼ユニット３６を装着して使用する場合には、ディスプレイパネル４２が倒伏状態となり、接眼ユニット３６の装着状態で、弾性材４８が支持体４０とディスプレイパネル４２の背面５６０４により圧縮されているので、起立状態と倒伏状態との間で揺動するディスプレイパネル４２が接眼ユニット３６の装着状態でがたつくことがなく、したがって、アイピース３６０８を覗いた際の表示面３４０２の視認性を確保する上で有利となる。
【００１９】
次に、図６を参照してカメラボディ１４の制御系の構成について説明する。
図６に示すように、カメラボディ１４は、前記の撮像素子１４Ｂの他に、プリズム１４Ａ、信号処理部１４Ｃ、制御部１４Ｄ、操作部１４Ｅ、表示部１４Ｆ、記録再生部１４Ｇ、Ｉ／Ｆ部１４Ｈ、電源部１４Ｉなどを含んで構成されている。
【００２０】
本実施の形態では、３色（赤、緑、青）のそれぞれに対応して３つの撮像素子１４Ｂが設けられており、プリズム１４Ａは、撮影光学系１６から導かれた被写体像を構成する光束を３色（赤、緑、青）に分離して、各色に対応した撮像素子１４Ｂに導くものである。
信号処理部１４Ｃは、各撮像素子１４Ｂを駆動すると共に、各撮像素子１４Ｂから供給される映像信号に対して、例えば、ＣＤＳ（Correlated Double Sampling）処理を行って、Ｓ／Ｎ比を良好に保つようにするとともに、ＡＧＣ（Automatic Gain Control）処理を行って、利得を制御し、さらに、Ａ／Ｄ（Analog/Digital）変換を行って、デジタル信号とした映像データを生成するなどの一連の前処理を行い、さらに、前処理がなされた映像データを所定の圧縮方式によって圧縮（エンコード）することにより、前記の記録用の映像データを生成するものである。生成された記録用の映像データは、制御部１４Ｄを介して記録再生部１４Ｇに供給される。
また、信号処理部１４Ｃは、デジタル信号に処理される前のアナログ信号の映像信号をコネクタ１４Ｊを介して後述するビューファインダー３０に供給することで撮影中の映像をビューファインダー３０に表示させる。また、前記前処理がなされた映像信号をコネクタ１４Ｊを介して外部のディスプレイ装置などに供給することで撮影中の映像を外部のディスプレイ装置に表示させる。
【００２１】
記録再生部１４Ｇは、信号処理部１４Ｃから制御部１４Ｄを介して供給される記録用の映像データを、記録媒体に記録し、また、前記記録媒体から再生した映像データを制御部１４Ｄを介してビューファインダー３０あるいは外部のディスプレイ装置に供給するものである。
前記記録媒体としては、例えば、磁気記録テープ、光ディスク、あるいは、ハードディスクなどの従来公知のさまざまな記録媒体が利用可能である。
【００２２】
Ｉ／Ｆ部１４Ｈは、制御部１４Ｄとビューファインダー３０との間でコネクタ１４Ｊを介して前記映像信号の授受やその授受にまつわる制御信号などのやり取りを行うものである。
また、Ｉ／Ｆ部１４Ｈは、制御部１４Ｄから出力される撮像装置１０の動作状態を示す状態信号をコネクタ１４Ｊを介してビューファインダー３０に供給するものである。
前記状態信号としては、録画状態か否かを示す状態信号、あるいは、撮像装置１０がバッテリー駆動されている際に、そのバッテリーの残量が所定値を下回ったことを警告する状態信号などが含まれる。
【００２３】
操作部１４Ｅは、撮像装置１０の動作にまつわる種々の設定を行うために操作されるスイッチやボリュームなどで構成されている。
表示部１４Ｆは、撮像装置１０の動作状態を表示するディスプレイやＬＥＤランプなどで構成されている。
制御部１４Ｄは、上述した信号処理部１４Ｃ、Ｉ／Ｆ部１４Ｈ、操作部１４Ｅ、表示部１４Ｆ、記録再生部１４Ｇの制御を司るものである。
具体的には、制御部１４Ｄは、ＣＰＵ、ワーキングエリアを提供するＲＡＭ、制御プログラムなどを格納するＲＯＭ、信号処理部１４Ｃ、Ｉ／Ｆ部１４Ｈ、操作部１４Ｅ、表示部１４Ｆとの間で制御信号やデータ信号を授受するための周辺ＬＳＩなどを含むマイクロコンピュータによって構成されており、前記ＣＰＵが前記ＲＯＭの制御プログラムを実行することによって種々の制御動作を実行する。
【００２４】
電源部１４Ｉは、不図示の外部電源から供給される電力に基づいて生成した電力を、撮像素子１４Ｂ、信号処理部１４Ｃ、Ｉ／Ｆ部１４Ｈ、操作部１４Ｅ、表示部１４Ｆ、記録再生部１４Ｇに供給することで、それら各部を動作させるものである。また、電源部１４Ｉからの電力はコネクタ１４Ｊを介してビューファインダー３０に供給されることでビューファインダー３０を動作させるものである。
なお、本実施の形態では、記録再生部１４Ｇがカメラボディ１４に内蔵されている場合について説明したが、記録再生部１４Ｇがカメラボディ１４の外部に設けられていてもよい。その場合には、記録再生部１４Ｇとカメラボディ１４とをケーブルで接続し、ケーブルを介して映像信号などの授受を行うようにすればよい。
【００２５】
次に本発明の要旨であるビューファインダー３０の制御系について説明する。
図１９はビューファインダー３０の制御系の構成を示すブロック図、図２０はディスプレイパネル４２の正面図である。
図１９に示すように、ビューファインダー３０の制御系は、本体部３２に設けられ撮像装置のコネクタ１４Ｊに接続されるコネクタ１０１と、本体部３２のケース３２０２に収容された第１乃至第４の基板Ｂ１、Ｂ２、Ｂ３、Ｂ４と、ディスプレイパネル４２のケース５６に収容された第５乃至第７の基板Ｂ５、Ｂ６、Ｂ７とを含んで構成されている。
第１の基板Ｂ１には、前記押しボタンスイッチ３２１０Ｃと、電源部１０２とが設けられている。
第２の基板Ｂ２には、前記ボリューム３２１０Ａ、切り替えスイッチ３２１０Ｂが設けられている。
第３の基板Ｂ３には、ＣＰＵ１０４、ＥＥＰＲＯＭ１０６、バッファおよびローパスフィルタ（ＬＰＦ）１０８、ＬＥＤドライバ１１０が設けられている。
第４の基板Ｂ４には、Ａ／Ｄ部１１２、スケーラー部１１４、ＳＤＲＡＭ１１６、第１の信号処理部１１８が設けられている。
第５の基板Ｂ５には、第１乃至第３のランプ１２０Ａ、１２０Ｂ、１２０Ｃが設けられている。
第６の基板Ｂ６には、第４乃至第８のランプ１２０Ｄ、１２０Ｅ、１２０Ｆ、１２０Ｇ、１２０Ｈと、検出部１２２が設けられている。
第７の基板Ｂ７には、第２の信号処理部１２４、制御部１２６、バックライト駆動部１２８、バックライト１３０、液晶表示素子１３２が設けられている。
【００２６】
電源部１０２は、コネクタ１０１を介して撮像装置１０から供給される電源を調整して第３、第４、第７の基板Ｂ３、Ｂ４、Ｂ７に動作用の電源電圧として供給するものである。
ＣＰＵ１０４は、不図示のＲＯＭなどに格納された制御プログラムを実行することによって動作するものであり、Ａ／Ｄ部１１２、スケーラー部１１４、第１の信号処理部１１８、第２の信号処理部１２４などの動作を制御するものである。
また、ＣＰＵ１０４は、ボリューム３２１０Ａ、切り替えスイッチ３２１０Ｂ、押しボタンスイッチ３２１０Ｃの操作入力に応じて各種の動作を行うものである。これら動作には、後述する設定メニュー画面の表示動作や設定動作も含まれる。
また、ＣＰＵ１０４は、コネクタ１０１を介して撮像装置１０から供給される撮像装置１０の動作状態を示す状態信号（例えば、録画状態か否かを示す状態信号あるいはバッテリー残量を警告する状態信号）やディスプレイユニット３１の動作状態に基づいてＬＥＤドライバ１１０の動作を制御するものである。
また、ＣＰＵ１０４は、後述するように検出部１２２から供給される検出信号に基づいてＬＥＤドライバ１１０の動作を制御して第１乃至第８のランプ１２０Ａ〜１２０Ｈの輝度を調整し、また、バックライト駆動部１２８の動作を制御して液晶表示素子１３２の表示面３４０２に表示される映像の輝度を調整するものである。
ＥＥＰＲＯＭ１０６は、ＣＰＵ１０４の動作に必要な各種のデータなどが格納されるものであり、後述する第１、第２の輝度および第３、第４の輝度が格納される。
バッファおよびローパスフィルタ（ＬＰＦ）１０８は、撮像装置１０のカメラボディ１４からコネクタ１０１を介して供給される映像信号を蓄積し、必要な周波数帯域の映像信号を後段のＡ／Ｄ部１１２に与えるものである。
ＬＥＤドライバ１１０は、第１乃至第８のランプ１２０Ａ〜１２０Ｈに駆動電流を供給することでそれらランプを点灯、滅灯させるものである。
また、ＬＥＤドライバ１１０は、ＣＰＵ１０４から供給される制御指令に基づいて前記駆動電流を増減させることで第１乃至第８のランプ１２０Ａ〜１２０Ｈの輝度を調整するように構成されている。
本実施の形態では、ＬＥＤドライバ１１０はＰＷＭ制御（Pulse Width Modulation control）により前記駆動電流を制御している。
【００２７】
Ａ／Ｄ部１１２は、バッファおよびローパスフィルタ１０８から供給される映像信号をアナログ信号からデジタル信号に変換するものである。
スケーラー部１１４は、Ａ／Ｄ部１１２から供給されるデジタル信号としての映像信号を液晶表示素子１３２の画素数に応じてスケーリングする（解像度を下げる）ものである。
ＳＤＲＡＭ１１６はスケーラー部１１４が映像信号をスケーリングする際に使用されるものである。
第１の信号処理部１１８は、スケーラー部１１４から供給されるスケーリングされた映像信号に対して従来公知のさまざまな信号処理を行い、後段の第２の信号処理部１２４に供給するものである。
このような信号処理としては、映像の輪郭部分を強調表示するピーキング処理、映像の一部を拡大して表示する拡大表示処理などがある。
また、第１の信号処理部１１８は、液晶表示素子１３２に表示される映像の左右が反転した状態となるように映像信号の信号処理、すなわち、映像反転処理を行う機能を有しており、ＣＰＵ１０４からの供給される制御信号に基づいて、映像反転処理の実行、非実行が制御されるようになっている。
【００２８】
第２の信号処理部１２４は、第１の信号処理部１１８から供給される映像信号に対して液晶表示素子１３２で映像を表示するために必要な最適化の信号処理を行うものである。
本実施の形態では、第１、第２の信号処理部１１８、１２４はＰＬＤ（Programmable Logic Device）によって構成されている。
制御部１２６は、第２の信号処理部１２６から供給される映像信号に基づいて液晶表示素子１３２駆動用の駆動信号を生成して液晶表示素子１３２に供給するなどの処理を行うものである。
液晶表示素子１３２は前記駆動信号に基づいて映像を表示するものであり、本実施の形態では、液晶表示素子１３２の背面に設けられたバックライト１３０から照射される照明光の光量に応じた輝度で映像を表示するものである。
バックライト駆動部１２８は、バックライト１３０に駆動信号を供給することでバックライト１３０を点灯させるものであり、ＣＰＵ１０４から供給される制御信号に基づいてバックライト１３０の照明光の明るさを調整し、これにより表示面３４０２に表示される映像の輝度を調整するように構成されている。
【００２９】
図２０に示すように、ディスプレイ部４２の前面板５６１０のうち、長手方向と直交する方向の両側のうち一方に位置する辺には、第１乃至第３のランプ１２０Ａ〜１２０Ｃが前記長手方向に沿って間隔をおいて設けられている。
また、前面板５６１０のうち、長手方向と直交する方向の両側のうち他方に位置する辺には、残りの第４乃至第８のランプ１２０Ｄ〜１２０Ｈが前記長手方向に沿って間隔をおいて設けられている。
本実施の形態では、第１のランプ１２０Ａは、撮影者が任意に機能を割り当てて使用することができるタリーランプである。
第２のランプ１２０Ｂおよび第６のランプ１２０Ｆは、それが点灯することで撮像装置１０による録画がなされていることを示すタリーランプである。
第３のランプ１２０Ｃは、それが点灯することで撮像装置１０がバッテリー駆動されている際に、そのバッテリーの残量が所定値を下回ったことを警告するバッテリー残量インジケータランプである。
第４、第５、第７、第８のランプ１２０Ｄ、１２０Ｅ、１２０Ｇ、１２０Ｈは、前記ピーキング処理の有無、拡大表示処理の有無を含むディスプレイユニット３１の動作状態などを表示するためのものである。
すなわち、第１乃至第８のランプ１２０Ａ〜１２０Ｈは、撮像装置１０またはディスプレイユニット３１の動作状態を表示するものである。
【００３０】
検出部１２２は、ディスプレイ部３４に対する接眼ユニット３６の装着の有無（装着状態であるか非装着状態であるか）を検出し、検出信号Ｓ０をＣＰＵ１０４に供給するものである。
図２０に示すように、本実施の形態では、検出部１２２は、接眼ユニット３６の枠部３６１２が当て付けられるケース５６の前面板５６１０の箇所に検出部１２２が設けられており、このような検出部１２２として、枠部３６１２で押圧されることでオンし、押圧が解除されることでオフするスイッチが用いられている。なお、このような検出部１２２としては、従来公知のさまざまなスイッチやセンサなどが採用可能である。
したがって、ディスプレイ部３４に接眼ユニット３６が装着された状態では、検出部１２２からオン状態の検出信号Ｓ０がＣＰＵ１０４に供給され、ディスプレイ部３４から接眼ユニット３６が取り外された状態では、検出部１２２からオフ状態の検出信号Ｓ０がＣＰＵ１０４に供給される。
本実施の形態では、電源部１０２、ＣＰＵ１０４、ＥＥＰＲＯＭ１０６、バッファおよびローパスフィルタ（ＬＰＦ）１０８、Ａ／Ｄ部１１２、スケーラー部１１４、ＳＤＲＡＭ１１６、第１の信号処理部１１８、第２の信号処理部１２４、制御部１２６、バックライト駆動部１２８、バックライト１３０によって、特許請求の範囲の表示制御部が構成されている。
また、本実施の形態では、ＣＰＵ１０４、ＥＥＰＲＯＭ１０６、ＬＥＤドライバ１１０によって、特許請求の範囲のランプ制御部が構成されている。
【００３１】
次に、液晶表示素子１３２の輝度設定および第１乃至第８のランプ１２０Ａ〜１２０Ｈの輝度設定について説明する。
前述したように、ビューファインダー３０は、接眼ユニット３６をディスプレイ部３４に装着し接眼ユニット３６を介して表示面３４０２を視認する場合と、接眼ユニット３６をディスプレイ部３４から取り外して直接表示面３４０２を視認する場合との２通りの使用形態がある。
接眼ユニット３６を使用した場合には、撮影環境における外光の影響を受けずに表示面３４０２および第１乃至第８のランプ１２０Ａ〜１２０Ｈを視認することができるため、表示面３４０２および第１乃至第８のランプ１２０Ａ〜１２０Ｈの輝度は低めで足り、逆に輝度が高すぎると撮影者に眩しさを感じさせ視認性を低下させることになる。
これに対して、直接表示面３４０２を視認する場合には、撮影環境における外光が表示面３４０２および第１乃至第８のランプ１２０Ａ〜１２０Ｈに当たることから、表示面３４０２および第１乃至第８のランプ１２０Ａ〜１２０Ｈを明瞭に視認するためには、前記外光に対応して表示面３４０２および第１乃至第８のランプ１２０Ａ〜１２０Ｈの輝度を高くする必要がある。
そこで、本実施の形態では、接眼ユニット３６のディスプレイ部３４への装着状態および非装着状態の双方に対応して表示面３４０２に表示される映像の輝度および第１乃至第８のランプ１２０Ａ〜１２０Ｈの輝度の双方を変化させる（切り換える）ようにしている。
【００３２】
まず、表示面３４０２に表示される映像の輝度および第１乃至第８のランプ１２０Ａ〜１２０Ｈの輝度を設定する操作について説明する。
図２１は表示面３４０２に表示される映像の輝度および第１乃至第８のランプ１２０Ａ〜１２０Ｈの輝度の設定操作を説明するフローチャートである。
まず、本体部３２の押しボタンスイッチ３２１０Ｃを操作することで、ＣＰＵ１０４により表示面３４０２に設定メニュー画面を表示させる（ステップＳ１０）。この設定メニュー画面は、輝度設定を含むビューファインダー３０のさまざまな設定を行うためのものである。
次いで、本体部３２の押しボタンスイッチ３２１０Ｃを操作することで、表示面３４０２に表示される映像の輝度を設定するための映像輝度設定画面を表示させる（ステップＳ１２）。
映像輝度設定画面では、例えば、押しボタンスイッチ３２１０Ｃの操作によって輝度の高さを示す数値を増減して設定できるようになっており、数値を増減させるに伴いＣＰＵ１０４がバックライト駆動部１２８を制御しバックライト１３０の照明光の光量を増減するようになっている。
そして、接眼ユニット３６を覗いて表示面３４０２を視認するために適切な表示面３４０２に表示される映像の輝度である第１の輝度と、接眼ユニット３６を取り外して表示面３４０２を直接視認するために適切な表示面３４０２に表示される映像の輝度である第２の輝度との２つの輝度をそれぞれ設定する（ステップＳ１４）。
表示面３４０２を直接視認する際の第２の輝度は、外光の影響を受けるので、第１の輝度よりも高い値となる。
設定された第１、第２の輝度は、ＣＰＵ１０４によってＥＥＰＲＯＭ１０６に格納される。
次いで、本体部３２の押しボタンスイッチ３２１０Ｃを操作することで、第１乃至第８のランプ１２０Ａ〜１２０Ｈの輝度を設定するためのランプ輝度設定画面を表示させる（ステップＳ１６）。
ランプ輝度設定画面においても映像輝度設定画面と同様に、押しボタンスイッチ３２１０Ｃの操作によって輝度の高さを示す数値を増減して設定できるようになっており、数値を増減させるに伴いＣＰＵ１０４がＬＥＤドライバ１１０を制御し第１乃至第８のランプ１２０Ａ〜１２０Ｈの光量を増減するようになっている。
そして、接眼ユニット３６を覗いて第１乃至第８のランプ１２０Ａ〜１２０Ｈを視認するために適切な第１乃至第８のランプ１２０Ａ〜１２０Ｈの輝度である第３の輝度と、接眼ユニット３６を取り外して第１乃至第８のランプ１２０Ａ〜１２０Ｈを直接視認するために適切な表示面３４０２に表示される映像の輝度である第４の輝度との２つの輝度をそれぞれ設定する（ステップＳ１８）。
各ランプを直接視認する際の第４の輝度は、外光の影響を受けるので、第３の輝度よりも高い値となる。
設定された第３、第４の輝度は、ＣＰＵ１０４によってＥＥＰＲＯＭ１０６に格納される。
以上で輝度の設定が終了する。
なお、このような輝度の設定操作は、上述したメニュー画面を用いるものに限定されず、従来公知のさまざまな設定方法が採用可能である。
【００３３】
次に、輝度の調整動作について説明する。
図２２は輝度の調整動作のフローチャートである。
ＣＰＵ１０４は、検出部１２２からの検出信号Ｓ０がオンかオフかを監視している（ステップＳ４０）。
検出信号Ｓ０がオン状態であれば、すなわち接眼ユニット３６が装着されていれば、ＣＰＵ１０４は、第１の信号処理部１１８に制御信号を供給して映像反転処理を実行させ（ステップＳ４２）、ＥＥＰＲＯＭ１０６に格納されている前記第１の輝度に基づいてバックライト駆動部１２８を制御し、ＥＥＰＲＯＭ１０６に格納されている前記第３の輝度に基づいてＬＥＤドライバ１１０を制御することにより、表示面３４０２に表示される映像の輝度を第１の輝度とし、第１乃至第８のランプ１２０Ａ〜１２０Ｈの輝度を第３の輝度として動作させる（ステップＳ４４）。そして、ステップＳ４０に戻る。
ステップＳ４０で検出信号Ｓ０がオフ状態であれば、すなわち接眼ユニット３６が装着されていなければ、ＣＰＵ１０４は、第１の信号処理部１１８に制御信号を供給して映像反転処理を非実行とさせ（ステップＳ４２）、ＥＥＰＲＯＭ１０６に格納されている前記第２の輝度に基づいてバックライト駆動部１２８を制御し、ＥＥＰＲＯＭ１０６に格納されている前記第４の輝度に基づいてＬＥＤドライバ１１０を制御することにより、表示面３４０２に表示される映像の輝度を第２の輝度とし、第１乃至第８のランプ１２０Ａ〜１２０Ｈの輝度を第４の輝度として動作させる（ステップＳ４４）。そして、ステップＳ４０に戻る。
【００３４】
以上説明したように本実施の形態によれば、検出部１２２の検出に基づいて表示面３４０２に表示される映像の左右を反転させると共に表示面３４０２に表示される映像の輝度および各ランプ１２０Ａ〜１２０Ｈの輝度を変化させるようにした。
したがって、接眼ユニット３６を介して表示面３４０２を視認する場合と、接眼ユニット３６を介さず直接表示面３４０２を視認する場合との双方において、すなわち、接眼ユニット３６の装着状態と非装着状態との双方において、その都度特別な操作を行うことなく、左右の位置関係が正しい映像を視認できることは無論のこと、接眼ユニット３６の有無に対応した適切な輝度の映像およびランプの表示を視認することができるので、操作性の向上を図るとともに、映像の視認性、ランプの視認性を高める上で有利となる。
また、本実施の形態の撮像装置１０およびビューファインダー３０のように、ディスプレイパネル４２を起立状態としてカメラボディ１４を肩に載せた状態で直接視認できるようにした場合には、液晶表示素子１３２の表示面３４０２やランプ１２０Ａ〜１２０Ｈが外光の影響を受けて視認しづらくなることが懸念されるが、本実施の形態によれば、直接表示面３４０２を視認して撮影を行う場合でも、接眼ユニット３６をディスプレイユニット３１から取り外すだけで、適切な輝度で映像を表示させるとともに、適切な輝度で各ランプを表示させることができるため、操作性の向上を図るとともに、映像の視認性、ランプの視認性を高める上で有利となる。
【００３５】
なお、本実施の形態では、検出部１２２の検出に基づいて映像の輝度と各ランプの輝度との双方を変化させる場合について説明したが、検出部１２２の検出に基づいて映像の輝度のみを変化させるようにしてもよい。しかしながら、本実施の形態のように映像の輝度と各ランプの輝度との双方を変化させれば、視認性を高めると同時に撮影者の使い勝手を高める上でより有利となる。
なお、本実施の形態では、撮像装置１０のカメラボディ１４に装脱可能に装着に装着されるビューファインダー３０について説明したが、ビューファインダー３０の本体部３２がカメラボディ１４に一体的に設けられていてもよく、そのようなビューファインダー３０および撮像装置１０についても本発明は無論適用される。
【図面の簡単な説明】
【００３６】
【図１】ビューファインダー３０が装着された撮像装置１０の斜視図である。
【図２】ビューファインダー３０が装着された撮像装置１０の斜視図である。
【図３】ビューファインダー３０から接眼ユニット３６が取り外されディスプレイパネル４２が左側方を向いた状態を示す撮像装置１０の斜視図である。
【図４】ビューファインダー３０から接眼ユニット３６が取り外されディスプレイパネル４２が左側方を向いた状態を示す撮像装置１０の斜視図である。
【図５】ビューファインダー３０から接眼ユニット３６が取り外されディスプレイパネル４２が起立状態となった斜視図である。
【図６】撮像装置１０の構成を示すブロック図である。
【図７】本体部３２およびディスプレイ部３４の斜視図である。
【図８】本体部３２およびディスプレイ部３４の上下を反転させた斜視図である。
【図９】本体部３２とディスプレイ部３４との分解斜視図である。
【図１０】ディスプレイ部３４の起立状態を示す斜視図である。
【図１１】図１１（Ａ）は図１０のＡ矢視図、（Ｂ）は図１０のＢ矢視図、（Ｃ）は図１０のＣ矢視図である。
【図１２】接眼ユニット３６の斜視図である。
【図１３】接眼ユニット３６の斜視図である。
【図１４】本体部３２、ディスプレイ部３４、接眼ユニット３６の平面図である。
【図１５】図１４のＡ矢視図である。
【図１６】接眼ユニット３６の装着状態の説明図である。
【図１７】（Ａ）、（Ｂ）は、ディスプレイ部３４から接眼ユニット３６を取り外す際の説明図である。
【図１８】（Ａ）、（Ｂ）は、ディスプレイ部３４から接眼ユニット３６を取り外す際の説明図である。
【図１９】ビューファインダー３０の制御系の構成を示すブロック図である。
【図２０】ディスプレイパネル４２の正面図である。
【図２１】表示面３４０２に表示される映像の輝度および第１乃至第８のランプ１２０Ａ〜１２０Ｈの輝度の設定操作を説明するフローチャートである。
【図２２】輝度の調整動作のフローチャートである。
【符号の説明】
【００３７】
１０……撮像装置、１４……カメラボディ、３０……ビューファインダー、３１……ディスプレイユニット、３６……接眼ユニット、１０４……ＣＰＵ、１１８……第１の信号処理部、１２２……検出部、１２８……バックライト駆動部、１３０……バックライト、１３２……液晶表示素子。
【図１】
2008205535.tif 000003
【図２】
2008205535.tif 000004
【図３】
2008205535.tif 000005
【図４】
2008205535.tif 000006
【図５】
2008205535.tif 000007
【図６】
2008205535.tif 000008
【図７】
2008205535.tif 000009
【図８】
2008205535.tif 000010
【図９】
2008205535.tif 000011
【図１０】
2008205535.tif 000012
【図１１】
2008205535.tif 000013
【図１２】
2008205535.tif 000014
【図１３】
2008205535.tif 000015
【図１４】
2008205535.tif 000016
【図１５】
2008205535.tif 000017
【図１６】
2008205535.tif 000018
【図１７】
2008205535.tif 000019
【図１８】
2008205535.tif 000020
【図１９】
2008205535.tif 000021
【図２０】
2008205535.tif 000022
【図２１】
2008205535.tif 000023
【図２２】
2008205535.tif 000024
【手続補正書】
【提出日】平成20年2月8日(2008.2.8)
【手続補正１】
【補正対象書類名】特許請求の範囲
【補正対象項目名】全文
【補正方法】変更
【補正の内容】
【特許請求の範囲】
【請求項１】
撮像装置から供給される映像信号に基づいて映像を表示する表示面を有するディスプレイユニットと、
前記ディスプレイユニットに装脱可能に装着され前記表示面に表示される映像を拡大して視認可能とする接眼ユニットとを備え、
前記ディスプレイユニットは、
前記表示面と、
前記映像信号に基づいて前記表示面に前記映像を表示させる表示制御部と、
前記接眼ユニットの装着の有無を検出する検出部とを有し、
前記表示制御部は、前記検出部の検出に基づいて前記表示面に表示される映像の左右を反転させると共に前記表示面に表示される映像の輝度を変化させるように構成されている、
ことを特徴とするビューファインダー。
【請求項２】
前記表示制御部による前記映像の輝度の変化は、前記接眼ユニットの装着が有りと検出された際に第１の輝度となり、前記接眼ユニットの装着が無しと検出された際に前記第１の輝度よりも高い値の第２の輝度となるようになされること、
を特徴とする請求項１記載のビューファインダー。
【請求項３】
前記ディスプレイユニットは、
前記撮像装置または前記ディスプレイユニットの動作状態を表示するランプと、
前記動作状態に基づいて前記ランプを駆動するランプ制御部とをさらに有し、
前記接眼ユニットは前記ランプの表示を前記映像と共に拡大して視認可能とするものであり、
前記ランプ制御部は前記検出部の検出に基づいて前記ランプの輝度を変化させるように構成されている、
ことを特徴とする請求項１記載のビューファインダー。
【請求項４】
前記ディスプレイユニットは、ディスプレイパネルを有し、
前記ディスプレイパネルは前記表示面を有する前面を有し、
前記前面は開口が形成された前面板を有し、
前記表示面は前記開口の内側に位置するように設けられ、
前記ランプは前記前面板に設けられている、
ことを特徴とする請求項３記載のビューファインダー。
【請求項５】
前記表示制御部による前記ランプの輝度の変化は、前記接眼ユニットの装着が有りと検出された際に第３の輝度となり、前記接眼ユニットの装着が無しと検出された際に前記第３の輝度よりも高い値の第４の輝度となるようになされること、
を特徴とする請求項３記載のビューファインダー。
【請求項６】
前記ディスプレイユニットは、
前記撮像装置のカメラボディに装脱可能に装着される本体部と、
前記カメラボディ側で撮像する映像が表示されるディスプレイ部とを備え、
前記ディスプレイ部は、
前記本体部に回転可能に連結された支持体と、
前記表示面を有するディスプレイパネルと、
前記支持体と前記ディスプレイパネルとを、前記支持体に前記ディスプレイパネルが重ね合わされた倒伏状態と、前記支持体から前記ディスプレイパネルが起立した起立状態との間で揺動可能に連結する連結機構と、
を備えることを特徴とする請求項１記載のビューファインダー。
【請求項７】
前記ディスプレイユニットは、
前記撮像装置のカメラボディに装脱可能に装着される本体部と、
前記カメラボディ側で撮像する映像が表示されるディスプレイ部とを備え、
前記ディスプレイ部は、
前記本体部に回転可能に連結された支持体と、
前記表示面を有するディスプレイパネルと、
前記支持体と前記ディスプレイパネルとを、前記支持体に前記ディスプレイパネルが重ね合わされた倒伏状態と、前記支持体から前記ディスプレイパネルが起立した起立状態との間で揺動可能に連結する連結機構とを備え、
前記支持体は、前記本体部が前記カメラボディに装着された状態で、前記カメラボディの左右方向を延在する仮想軸の周りに回転可能に前記本体部に連結されており、
前記表示面は、前記倒伏状態で前記カメラボディの左右側方に向けられ、前記起立状態で後方に向けられる、
を備えることを特徴とする請求項１記載のビューファインダー。
【請求項８】
前記ディスプレイユニットは、
前記撮像装置のカメラボディに一体的に設けられた本体部と、
前記カメラボディ側で撮像する映像が表示されるディスプレイ部とを備え、
前記ディスプレイ部は、
前記本体部に回転可能に連結された支持体と、
前記表示面を有するディスプレイパネルと、
前記支持体と前記ディスプレイパネルとを、前記支持体に前記ディスプレイパネルが重ね合わされた倒伏状態と、前記支持体から前記ディスプレイパネルが起立した起立状態との間で揺動可能に連結する連結機構とを備え、
前記支持体は、前記カメラボディの左右方向を延在する仮想軸の周りに回転可能に前記本体部に連結されており、
前記表示面は、前記倒伏状態で前記カメラボディの左右側方に向けられ、前記起立状態で後方に向けられる、
を備えることを特徴とする請求項１記載のビューファインダー。
【請求項９】
撮像装置から供給される映像信号に基づいて映像を表示する表示面と、前記表示面に前記映像を表示させる表示制御部とを有するディスプレイユニットと、
前記ディスプレイユニットに装脱可能に装着され前記表示面に表示される映像を拡大して視認可能とする接眼ユニットとを備え、
前記接眼ユニットの装着の有無を検出し、
前記検出に基づいて前記表示面に表示される映像の左右を反転させると共に前記表示面に表示される映像の輝度を変化させるようにした、
ことを特徴とするビューファインダーの制御方法。
【請求項１０】
映像を撮像するカメラボディと、
前記カメラボディに設けられたビューファインダーとを備え、
前記ビューファインダーは、
前記カメラボディから供給される映像信号に基づいて映像を表示する表示面を有するディスプレイユニットと、
前記ディスプレイユニットに装脱可能に装着され前記表示面に表示される映像を拡大して視認可能とする接眼ユニットとを備え、
前記ディスプレイユニットは、
前記表示面と、
前記映像信号に基づいて前記表示面に前記映像を表示させる表示制御部と、
前記接眼ユニットの装着の有無を検出する検出部とを有し、
前記表示制御部は、前記検出部の検出に基づいて前記表示面に表示される映像の左右を反転させると共に前記表示面に表示される映像の輝度を変化させるように構成されている、
ことを特徴とする撮像装置。
【手続補正２】
【補正対象書類名】明細書
【補正対象項目名】０００８
【補正方法】変更
【補正の内容】
【０００８】
図１に示すように、カメラボディ１４は、外装を構成する筐体１８を有している。
筐体１８は、前方に臨む前面１８Ａ、後方に臨む後面１８Ｂ、左右側方に臨む左右の側面１８Ｃ、１８Ｄ、上方に臨む上面１８Ｅ、下方に臨む下面１８Ｆを備えている。
本実施の形態では、筐体１８は、左右の側面１８Ｃ、１８Ｄの間の左右方向の幅よりも上面１８Ｅと下面１８Ｆとの間の上下方向の高さが大きい寸法で形成され、この高さよりも前面１８Ａと後面１８Ｂとの間の前後方向の長さが大きい寸法で形成され、したがって、筐体１８は前後に長い直方体状を呈している。
図２に示すように、筐体１８の前部には、後述するビューファインダー３０を装脱可能に装着するためのカメラ本体側取り付け部１９が設けられ、カメラ本体側取り付け部１９の後方に持ち運び用のハンドル２０が設けられている。
図１に示すように、下面１８Ｄには、撮像装置１０を肩に載せるための上方に窪んだ肩パッド２２が設けられている。肩パッド２２は、弾性および柔軟性を有する部材で形成されている。
【手続補正３】
【補正対象書類名】明細書
【補正対象項目名】００２９
【補正方法】変更
【補正の内容】
【００２９】
図２０に示すように、ディスプレイパネル４２の前面板５６１０のうち、長手方向と直交する方向の両側のうち一方に位置する辺には、第１乃至第３のランプ１２０Ａ〜１２０Ｃが前記長手方向に沿って間隔をおいて設けられている。
また、前面板５６１０のうち、長手方向と直交する方向の両側のうち他方に位置する辺には、残りの第４乃至第８のランプ１２０Ｄ〜１２０Ｈが前記長手方向に沿って間隔をおいて設けられている。
本実施の形態では、第１のランプ１２０Ａは、撮影者が任意に機能を割り当てて使用することができるタリーランプである。
第２のランプ１２０Ｂおよび第６のランプ１２０Ｆは、それが点灯することで撮像装置１０による録画がなされていることを示すタリーランプである。
第３のランプ１２０Ｃは、それが点灯することで撮像装置１０がバッテリー駆動されている際に、そのバッテリーの残量が所定値を下回ったことを警告するバッテリー残量インジケータランプである。
第４、第５、第７、第８のランプ１２０Ｄ、１２０Ｅ、１２０Ｇ、１２０Ｈは、前記ピーキング処理の有無、拡大表示処理の有無を含むディスプレイユニット３１の動作状態などを表示するためのものである。
すなわち、第１乃至第８のランプ１２０Ａ〜１２０Ｈは、撮像装置１０またはディスプレイユニット３１の動作状態を表示するものである。
【手続補正４】
【補正対象書類名】明細書
【補正対象項目名】００３５
【補正方法】変更
【補正の内容】
【００３５】
なお、本実施の形態では、検出部１２２の検出に基づいて映像の輝度と各ランプの輝度との双方を変化させる場合について説明したが、検出部１２２の検出に基づいて映像の輝度のみを変化させるようにしてもよい。しかしながら、本実施の形態のように映像の輝度と各ランプの輝度との双方を変化させれば、視認性を高めると同時に撮影者の使い勝手を高める上でより有利となる。
なお、本実施の形態では、撮像装置１０のカメラボディ１４に装脱可能に装着されるビューファインダー３０について説明したが、ビューファインダー３０の本体部３２がカメラボディ１４に一体的に設けられていてもよく、そのようなビューファインダー３０および撮像装置１０についても本発明は無論適用される。